(57)【要約】【課題】本発明のゴムクロ−ラは、ラグ間に詰まった泥を効果的に落下させることが可能となったものであり、ゴムクロ−ラの外周面を改良して解決した。【解決手段】無端状のゴム弾性体と、その中央部で長手方向に向かって埋設されるスチ−ルコ−ドと、外周面に形成したラグと、よりなるゴムクロ−ラであって、スチ−ルコ−ドとラグとが交差する領域にあって、隣り合うラグ間のゴムクロ−ラの外周面に凸形状を形成したことを特徴とするゴムクロ−ラ。１‥ゴム弾性体、２‥芯金、３‥スチ−ルコ−ド、４‥ゴムクロ−ラの中央部、５‥長ラグ、６‥短ラグ、７‥凸形状、８‥ゴムクロ−ラの外周面。【選択図】図５
2007276734.tif 000002
【特許請求の範囲】
【請求項１】
無端状のゴム弾性体と、その中央部で長手方向に向かって埋設されるスチ−ルコ−ドと、外周面に形成したラグと、よりなるゴムクロ−ラであって、スチ−ルコ−ドとラグとが交差する領域にあって、隣り合うラグ間のゴムクロ−ラの外周面に凸形状を形成したことを特徴とするゴムクロ−ラ。
【請求項２】
ゴムクロ−ラの外周面に形成したラグが、幅方向端に至る長ラグと中央部に存在する短ラグとを交互に形成した請求項１記載のゴムクロ−ラ。
【請求項３】
ゴムクロ−ラの外周面に形成した凸形状が長尺の凸形状である請求項１又は２記載のゴムクロ−ラ。
【請求項４】
ゴムクロ−ラの外周面に形成した凸形状がゴムクロ−ラの長手方向に向かう長尺の凸形状である請求項１乃至３いずれか１記載のゴムクロ−ラ。
【発明の詳細な説明】
【技術分野】
【０００１】
本発明はラグ間に泥詰まりを低減させたゴムクロ−ラを提供するものである。
【背景技術】
【０００２】
ゴムクロ−ラには外周面にラグが形成されており、走行に供される際に、走行面の泥の質によってはラグ間に泥が詰まってしまい、ゴムクロ−ラの牽引力が低下し、旋回性が低下してしまう。又、泥が付着する走行路面、作業場、圃場等からからコンクリ−トやアスファルト等の道路に出た際、ゴムクロ−ラのラグ間に詰まった泥が落ち、路面を汚すことともなる。
【０００３】
従来のゴムクロ−ラにおいて、ラグ間に泥が詰まるのを防止する目的で、図１、図２に示しているように、ゴムクロ−ラの左右の耳部１１（転輪の通過面の外側域）において外方に至るに従い肉厚を漸減して、ラグ１２ａの外側部高さを増大して牽引力を増大すると共に、ラグ１２ａ〜１２ａ間を柔軟化させているものがある。ここに示すゴムクロ−ラの左右耳部１１のラグ１２ａ〜１２ａが柔軟になり泥詰りが少なくなるという特徴がある。１３はスチ−ルコ−ドである。
【発明の開示】
【発明が解決しようとする課題】
【０００４】
図１、図２に示すゴムクロ−ラにおいて、確かにラグ１２ａ〜１２ａ間の泥の剥離はもたらされるが、ゴムクロ−ラの中央部１４におけるラグ１２ａ〜１２ａ間の泥の落下はそれほどでもなく、あいかわらず泥の詰まりは解消しない。
【０００５】
本発明は以上の課題を解決するためになされたものであり、ゴムクロ−ラの外周面を改良して課題を解決してなるものである。
【課題を解決するための手段】
【０００６】
本発明の要旨は、無端状のゴム弾性体と、その中央部で長手方向に向かって埋設されるスチ−ルコ−ドと、外周面に形成したラグと、よりなるゴムクロ−ラであって、スチ−ルコ−ドとラグとが交差する領域にあって、隣り合うラグ間のゴムクロ−ラの外周面に凸形状を形成したことを特徴とするゴムクロ−ラにかかるものである。
【発明の効果】
【０００７】
本発明のゴムクロ−ラは、ラグ間に詰まった泥を効果的に落下させることが可能となったものであり、特に足場が泥状の作業現場で使用されるゴムクロ−ラに最適である。
【発明を実施するための最良の形態】
【０００８】
本発明はゴムラグの外周面に付着した泥の脱落を目的としたものであり、特に、スチ−ルコ−ドとラグとが交差する領域にあって、隣り合うラグ間のゴムクロ−ラの外周面に凸形状を形成したものである。
【０００９】
本発明に至った知見について述べれば、ゴムクロ−ラ中に埋設されたスチ−ルコ−ドは、水平方向に一定に列状に並べられており、ゴムクロ−ラに引っ張り力が働いた際にはほぼ均等に引っ張り力がもたらされる。しかもゴムクロ−ラの外周面は平面状となっているために、ゴムクロ−ラの外周面にかかる引っ張り力（歪み）もほぼ一定である。
【００１０】
本発明はこの知見を逆手にとって発明されたものであり、スチ−ルコ−ドの埋設された領域の外周面には走行時に大きな引っ張り力（歪み）がもたらされる。この発明はゴムクロ−ラのスチ−ルコ−ドが埋設されている領域における外周面に好ましくは長めの凸形状となし、その表面における歪み力をかえたものであり、これによって表面に付着した泥との間に隙間をもたらして泥を落下させるものとしたものである。
【００１１】
更に言えば、スチ−ルコ−ドが埋設された領域のラグ間に周方向に長い凸形状を設けることによって、スチ−ルコ−ドとゴムクロ−ラの表面と凸形状との距離が一定でなくなるため、アイドラ−やスプロケット等に巻き掛けた際に、スチ−ルコ−ドからゴムクロ−ラの外周面及び凸形状の表面までの距離に応じて周長差が生じる。この周長差が生じることにより、外周面と凸形状の表面との間で巻き掛け歪みに差が生じる。つまり、ゴムクロ−ラの外周表面でゴムが動きやすくなった部分と、動きが少ない部分とができ、その差によって外周面に付着した泥を剥離しやすくしたものである。
【００１２】
尚、ゴムクロ−ラの外周面に凹凸形状を形成したゴムクロ−ラは特許文献１に記載されている。しかるに、ここに記載されたゴムクロ−ラは、図３に示すように、その中央部１５で長手方向に向かって埋設されるスチ−ルコ−ド１４に対し、これよりも左右の外側の耳部１１に凹凸形状１６を形成したものであるが、この凹凸形状１６の挙動はスチ−ルコ−ド１４の引っ張り力に直接影響がないため、本発明の技術とは直接関係のない技術と言うべきものである。
【００１３】
【特許文献１】特開平８−１５０９７０号公報
【００１４】
本発明のゴムクロ−ラの外周面に形成したラグが、幅方向端に至る長ラグと中央部に存在する短ラグとを交互に形成したゴムクロ−ラである。そして、凸形状が長尺の凸形状であり、好ましくは、ゴムクロ−ラの長手方向に向かう長尺の凸形状である。
【００１５】
ゴムクロ−ラの特にスチ−ルコ−ドが埋設された領域におけるラグ間に好ましくは周方向に長い凸形状を設けることにより、スチ−ルコ−ドからもたらされる引っ張り力（歪み）に差をもたらし、ラグ間の泥詰まりを少なくするものであり、この泥詰まりが少なくなることにより路面の汚れ防止、牽引力の維持、旋回性の維持に大きな効果がもたらされるものである。
【００１６】
ラグ間に設ける凸形状の数は一つ以上とし、又その配置は自由であるが、好ましくはゴムクロ−ラの長手方向に向かう（直線状或いは傾斜状の）凸形状であり、これが一つの凸形状のものであったり、或いは、途中で分断されている場合もある。更に言えば、ラグとの関係にあっては、ラグとは独立しているものであっても、ラグの少なくとも一方側に当接合体している形状であってもよいことは勿論である。更に言えば、凸形状は複数の形状を組み合わせることも可能である。
【実施例】
【００１７】
以下、本発明を好ましい実施例をもって更に詳細に説明する。図４は本発明のゴムクロ−ラの外周側平面図であり、図５はＡ−Ａ線での断面図である。１はゴムクロ−ラを構成する無端状のゴム弾性体、２はその長手方向に一定ピッチにて埋設された芯金、３はスチ−ルコ−ドであり、ほぼ中央部４に列状をなして埋設されている。５、６はラグであり、この例ではゴムクロ−ラの幅方向の全域に渡って存在する長ラグ５と、中央部４に形成された短ラグ６とからなっている。
【００１８】
さて、ゴムクロ−ラの中央部４、即ち、スチ−ルコ−ド３が埋設された領域に長手方向に向けて長尺の凸形状７が形成されており、ラグ５、６の基部と連続して形成されたものである。この長尺の凸形状７は主として図示しないスプロケットやアイドラ−に巻き掛けされた際に、スチ−ルコ−ド３に生じる引っ張り力によってゴムクロ−ラの外周面８にもたらされる歪みに差を生じ、これによってゴムクロ−ラの外周面８と凸形状７とが動きを異にする。即ち、これによってラグ５、６間の特に中央部４に付着した泥９が浮き上がり泥９の落下がもたらされることとなるものである。
【００１９】
尚、スチ−ルコ−ド３を基準位置とすると、ゴムクロ−ラ外周面までの距離をＨ１、凸形状の頂面をＨ２、ラグの頂面までの距離をＨ３とする時、Ｈ１＜Ｈ２＜（Ｈ１＋Ｈ３）／２なる関係があるものである
【００２０】
図６は本発明の第２例を示すゴムクロ−ラの外周側平面図であり、ゴムクロ−ラの中央部４にラグ５、６の基部に接しない形状の凸形状７を形成したものである。
【００２１】
図７は本発明の第３例を示すゴムクロ−ラの外周側平面図であり、ゴムクロ−ラの中央部４に形成した凸形状７はラグ５、６間で千鳥状に配列した例である。
【００２２】
図８は本発明の第４例を示すゴムクロ−ラの外周側平面図であり、ラグ５は左右に千鳥状をなして形成した例であり、凸形状７はラグ５、５間でスチ−ルコ−ド３に対応する中央部４に配列した例である。
【００２３】
図９は本発明の第５例を示すゴムクロ−ラの外周側平面図であり、図１０はそのＢ−Ｂ線での断面図である。この例ではゴムクロ−ラ中に芯金の埋設がないいわゆる芯金レスゴムクロ−ラに適用した例であり、スチ−ルコ−ド３は幅方向にかなり広めに埋設されており、ラグは長ラグ５、５が形成された例である。そのため、このスチ−ルコ−ド３に対応するようにゴムクロ−ラの幅方向のほぼ全域に凸形状７が形成されている。
【産業上の利用可能性】
【００２４】
本発明は以上の通りであり、ゴムクロ−ラが走行に供された際のスチ−ルコ−ドに掛る引っ張り力を利用してこれをゴムクロ−ラの外周面に異なった歪みをもたらして泥を剥離・落下させるものであり、芯金入りゴムクロ−ラについて説明したが、芯金レスゴムクロ−ラを含む全てのゴムクロ−ラに適用可能であり、その工業的価値は極めて高い。
【図面の簡単な説明】
【００２５】
【図１】図１は従来のゴムクロ−ラによる外周側平面図である。
【図２】図２は図１のゴムクロ−ラのａ−ａ線での断面図である。
【図３】特許文献１に記載されたゴムクロ−ラを示す断面図である。
【図４】図４は本発明のゴムクロ−ラの第１例の外周側平面図である。
【図５】図５は図４のゴムクロ−ラのＡ−Ａ線での断面図である。
【図６】図６は本発明のゴムクロ−ラの第２例の外周側平面図である。
【図７】図７は本発明のゴムクロ−ラの第３例の外周側平面図である。
【図８】図８は本発明のゴムクロ−ラの第４例の外周側平面図である。
【図９】図９は本発明のゴムクロ−ラの第５例の外周側平面図である。
【図１０】図１０は図９のゴムクロ−ラのＢ−Ｂ線での断面図である。
【符号の説明】
【００２６】
１‥ゴムクロ−ラの基体となるゴム弾性体、
２‥芯金、
３‥スチ−ルコ−ド、
４‥ゴムクロ−ラの中央部、
５‥長ラグ、
６‥短ラグ、
７‥凸形状、
８‥ゴムクロ−ラの外周面、
９‥泥。
【図１】
2007276734.tif 000003
【図２】
2007276734.tif 000004
【図３】
2007276734.tif 000005
【図４】
2007276734.tif 000006
【図５】
2007276734.tif 000007
【図６】
2007276734.tif 000008
【図７】
2007276734.tif 000009
【図８】
2007276734.tif 000010
【図９】
2007276734.tif 000011
【図１０】
2007276734.tif 000012